(57)【要約】【課題】  貼り合わせ作業時におけるパネルのセット位置をＸ軸方向およびＹ軸方向で規制する位置決め板を省スペースかつ簡便な方法で適切な位置に配設可能とする表示パネルの貼り合わせ装置を提供すること。【解決手段】    Ｘ軸方向基準壁３ａとＹ軸方向基準壁３ｂとにより一方のパネルＰ１を位置決めしつつ載置可能とされたコーナー部３ｃが形成され、前記一方のパネルＰ１の上部を突出させて載置可能とされた矩形状の溝部３が上面中央部に形成された載置台１と、Ｘ軸方向基準面１０ａとＹ軸方向基準面１０ｂとにより他方のパネルＰ２を位置決めしつつ配置可能とされたコーナー部１０ｃが形成された位置決め板１０と、前記位置決め板１０をセット位置とオフセット位置との間で回動動作自在とする回動手段１１、１４、１５とを備える。【選択図】      図１
2006154427.tif 000002
【特許請求の範囲】
【請求項１】
二枚のパネルを接着材を介して積層し、貼り合わせるためのパネルの貼り合わせ装置において、
Ｘ軸方向基準壁とＹ軸方向基準壁とにより一方のパネルを位置決めしつつ載置可能とされたコーナー部が形成され、前記一方のパネルの上部を突出させて載置可能とされた矩形状の溝部が上面中央部に形成された載置台と、
Ｘ軸方向基準面とＹ軸方向基準面とにより他方のパネルを位置決めしつつ配置可能とされたコーナー部が形成された位置決め板と、
前記位置決め板を前記他方のパネルの位置決めを可能とするセット位置と前記載置台の上方にパネルの貼り合わせ作業空間を確保するオフセット位置との間で回動動作自在とする回動手段と
を備えたことを特徴とするパネルの貼り合わせ装置。
【請求項２】
前記回動手段は、前記位置決め板を一辺側の任意な位置に着脱自在に支持する回動板と、前記回動板の反位置決め板側に配設された回動軸と、前記回動軸を回動自在に軸支する軸受部とからなる請求項１に記載のパネルの貼り合わせ装置。
【請求項３】
前記回動軸は、前記回動板の反位置決め板側下面に間隔を以て突出形成されたブラケットに配設されており、前記載置台の上面よりも下位において前記軸受部に軸支されている請求項２に記載のパネルの貼り合わせ装置。
【請求項４】
前記一方のパネルを吸着固定させる負圧吸着機構を備え、前記溝部の底壁には前記負圧吸着機構の吸引口が形成されている請求項１乃至請求項３のいずれか１項に記載のパネルの貼り合わせ装置。
【請求項５】
前記載置台の上面における前記溝部の外周部には、２枚のパネルを貼着する接着材が配設された台紙を前記パネルとの位置関係を規制しつつ配置するための位置決めピンが形成されている請求項１乃至請求項４のいずれか１項に記載のパネルの貼り合わせ装置。
【発明の詳細な説明】
【技術分野】
【０００１】
本発明は、２枚のパネルを接着材を介して貼り合わせる作業工程において使用される装置に関する。
【背景技術】
【０００２】
従来より、例えば、カイラルネマチック液晶を利用した２枚の液晶パネルを積層することによりマルチカラー表示を可能とする液晶表示パネルや、一方の液晶パネルを表示用に駆動させて表示パネルとして用い、他方の液晶パネルは背景の着色効果を複屈折効果の補償により解消するための補償パネルとして用いるように形成されたＤＳＴＮ（Double-layer Super Twisted Nematic）型の液晶表示パネル等のように、２枚の表示パネルを接着材を介して貼り合わせた構成を有する表示パネルが多く開発されている。
【０００３】
このような２枚の表示パネルを貼り合わせた液晶表示パネルの製造にあたっては、製品としての液晶表示パネルの表示状態を良好なものとするべく、表示パネルを積層（貼り合わせ）する際の各表示パネルの表示パターンの位置合わせを精密に行うことが要求される。そのため、従来から様々な表示パネルの貼り合わせ装置が利用されている（例えば、特許文献１参照）。
【０００４】
ここで、従来の表示パネルの貼り合わせ装置とその装置を用いた２枚の表示パネルの貼り合わせ作業について、前記ＤＳＴＮ型の液晶表示パネルを製造する場合を例にとって簡単に説明する。
【０００５】
従来の表示パネルの貼り合わせ装置は、上面に補償パネルを位置決めしつつ載置する平面形略矩形状の溝部が形成された載置台を有している。
【０００６】
前記載置台の溝部は、平面形状におけるＸ軸方向に延在する一壁面とＹ軸方向に延在する一壁面を基準面として補償パネルを位置決め可能に形成されており、その深さ寸法は、前記補償パネルの厚さ寸法以下に形成されている。
【０００７】
また、前記溝部の底壁には、前記干渉パネルを前記溝部に吸着させて固定する負圧吸着機構の吸着口が開口されている。
【０００８】
そして、前記載置台の上面における前記溝部の外周には、接着材となる両面接着テープが配設された台紙を前記補償パネルとの位置関係を規制して配置するための位置決めピンが形成されている。
【０００９】
また、前記載置台の上方には、前記補償パネルに前記接着材を介して積層される液晶パネルのＸ軸方向に延在する面を当接させるＸ軸方向基準面を有する位置決め板（以下、Ｘ軸方向位置決め板という。）が、エアシリンダ等の駆動手段を駆動させることによりＹ軸方向に移動可能に配設されている。また、前記液晶パネルのＹ軸方向に延在する面を当接させるＹ軸方向基準面を有する位置決め板（以下、Ｙ軸方向位置決め板という。）も、エアシリンダ等の駆動手段を駆動させることによりＸ軸方向に移動可能に配設されている。
【００１０】
そして、このように構成される貼り合わせ装置を用いて、補償パネルと液晶パネルの貼り合わせを行う場合、まず、前記補償パネルを、貼り合わせ装置の載置台上面に形成された平面形略矩形状の溝部内に、前記溝部の平面形状におけるＸ軸方向に延在する一壁面とＹ軸方向に延在する一壁面との２壁面を基準として位置決めする。換言すれば、前記Ｘ軸方向に延在する一壁面とＹ軸方向に延在する一壁面とによって形成されるコーナー部を基準位置として位置決めを行う。
【００１１】
続いて、前記溝部の底壁に吸着口を開口させる負圧吸着機構を駆動し、前記補償パネルを前記溝部に吸着させて固定する。
【００１２】
そして、透明フィルム等の台紙に貼着された両面接着テープの片面を、前記貼り合わせ装置に形成された位置決めピンを用いて前記補償パネルとの位置合わせを行ないつつ、前記補償パネルの上面における所定位置に貼着させる。
【００１３】
その後、前記台紙を除去し、前記両面接着テープの他面を露出させる。
【００１４】
そして、前記Ｘ軸方向位置決め板を、駆動手段を駆動させてＹ軸方向に移動させて適切な位置に位置決めし、また、前記Ｙ軸方向位置決め板を、駆動手段を駆動させてＸ軸方向に移動させて適切な位置に位置決めする。
【００１５】
その後、これらのＸ軸方向位置決め板の前記Ｘ軸方向基準面には、前記液晶パネルの液晶パネルのＸ軸方向に延在する一壁面を当接させ、Ｙ軸方向位置決め板の前記Ｙ軸方向基準面には、前記液晶パネルの液晶パネルのＹ軸方向に延在する一壁面を当接させるようにして、前記液晶パネルを、接着材としての両面接着テープを介して前記補償パネルに積層し、貼り合わせて、所望のＤＳＴＮ型の液晶表示パネルを得る。
【００１６】
【特許文献１】特開平２００２−３２８３７６号公報
【発明の開示】
【発明が解決しようとする課題】
【００１７】
しかしながら、従来の液晶パネルの貼り合わせ装置においては、前記Ｘ軸方向位置決め板とＹ軸方向位置決め板のそれぞれを個別に動作させる駆動手段の取付けエリアが必要であり、装置サイズの小型化が図れなかった。
【００１８】
また、この駆動手段により移動可能とされたＸ軸方向位置決め板およびＹ軸方向位置決め板は各々動作するため、その位置決め作業が煩雑であり、位置決め精度も不安定なものとなっていた。
【００１９】
そこで、本発明は、貼り合わせ作業時におけるパネルのセット位置をＸ軸方向およびＹ軸方向で規制する位置決め板を省スペースかつ簡便な方法で適切な位置に配設可能とする表示パネルの貼り合わせ装置を提供することを目的とするものである。
【課題を解決するための手段】
【００２０】
前述した目的を達成するため、本発明のパネルの貼り合わせ装置は、二枚のパネルを接着材を介して積層し、貼り合わせるためのパネルの貼り合わせ装置であって、Ｘ軸方向基準壁とＹ軸方向基準壁とにより一方のパネルを位置決めしつつ載置可能とされたコーナー部が形成され、前記一方のパネルの上部を突出させて載置可能とされた矩形状の溝部が上面中央部に形成された載置台と、Ｘ軸方向基準面とＹ軸方向基準面とにより他方のパネルを位置決めしつつ配置可能とされたコーナー部が形成された位置決め板と、前記位置決め板を前記他方のパネルの位置決めを可能とするセット位置と前記載置台の上方にパネルの貼り合わせ作業空間を確保するオフセット位置との間で回動動作自在とする回動手段とを備えたことを特徴とする。
【００２１】
前記回動手段は、前記位置決め板を一辺側の任意な位置に支持する回動板と、前記回動板の反位置決め板側に配設された回動軸と、前記回動軸を回動自在に軸支する軸受部とからなる。
【００２２】
また、前記回動軸は、前記回動板の反位置決め板側下面に間隔を以て突出形成されたブラケットに配設されており、前記載置台の上面よりも下位において前記軸受部に軸支されていることが望ましい。
【００２３】
そして、本発明のパネルの貼り合わせ装置は、前記一方のパネルを吸着固定させる負圧吸着機構を備え、前記溝部の底壁には前記負圧吸着機構の吸引口が形成されていることを特徴とする。
【００２４】
さらには、前記載置台の上面における前記溝部の外周部には、２枚のパネルを貼着する接着材が配設された台紙を前記パネルとの位置関係を規制しつつ配置するための位置決めピンが形成されていることを特徴とする。
【発明の効果】
【００２５】
本発明のパネルの貼り合わせ装置によれば、前記載置台の溝部内における前記Ｘ軸方向基準壁と前記Ｙ軸方向基準壁とを基準とし、これらの両基準壁によって形成されるコーナー部に一方のパネルの所定のコーナー部を嵌合させるようにして前記溝部に一方のパネルを載置することで、パネルの貼り合わせ作業における一方のパネルのＸ軸方向およびＹ軸方向のセット位置を簡便且つ確実に規制することができ、また、前記回動手段を用いて位置決め手段を回動動作させ、前記位置決め板を前記セット位置に位置させ、その状態で、前記位置決め板の前記Ｘ軸方向基準面と前記Ｙ軸方向基準面とを基準とし、これらの両基準面によって形成されるコーナー部に他方のパネルの所定のコーナー部を嵌合させるようにして他方のパネルを前記一方のパネル上に接着材層を介して積層させることで、パネルの貼り合わせ作業における他方のパネルのＸ軸方向およびＹ軸方向のセット位置を簡便且つ確実に規制することができる。
【００２６】
前記回動手段は、貼り合わせに用いる他方のパネルの形状等に応じてその回動板の一辺側の任意な位置に前記位置決め板を配設することができ、前記回動板の他辺側に配設された回動軸を軸支することで、位置決め板を配設した回動板を片持ち状に支持し、前記回動軸を中心にして、位置決め板をセット位置と、オフセット位置との間で回動させることができる。
【００２７】
また、前記回動軸を前記回動板の他辺側下面に突出形成されたブラケットに配設し、前記載置台の上面よりも下位において回転自在に支承することで、前記セット位置からオフセット位置への回動させる際の前記位置決め板の初動方向を前記載置台から離反する方向として、位置決め板と各パネルとの干渉を回避することができる。
【００２８】
さらに、回動軸を前記載置台の上面よりも下位に配置させればさせるほど、前記ブラケットの寸法は長くなるので、その寸法分だけ、オフセット位置を載置台から離間したところに形成することができる。よって、前記載置台の上方の作業領域を広く確保することができるので、パネルの貼り合わせ作業もし易くなる。
【００２９】
そして、前記負圧吸着機構を駆動させ、前記吸引口から前記一方のパネルを前記溝部の底壁に吸着させることで、パネルの貼り合わせ作業時における一方のパネルの位置ずれを防止することができる。
【００３０】
またさらに、前記載置台の上面における前記溝部の外周に形成された位置決めピンを、２枚のパネルを貼着する接着材が配設された台紙と前記パネルとの位置決め部材として用いることで、前記接着剤の配置作業を簡便且つ良好な位置決め精度で行うことが可能となる。
【００３１】
そして、このような構成を具備する本発明のパネルの貼り合わせ装置においては、前記他方のパネルのセット位置をＸ軸方向およびＹ軸方向で規制する位置決め板を、省スペースかつ簡便な方法で適切な位置に配設することができる。
【発明を実施するための最良の形態】
【００３２】
以下、本発明のパネルの貼り合わせ装置の一実施形態について、図１乃至図５を用いて説明する。
【００３３】
図１は本実施形態のパネルの貼り合わせ装置の概略構成と使用状態における各部品の積層状態を示す分解斜視図である。
【００３４】
この図に示すように、本実施形態のパネルの貼り合わせ装置は厚板上の戴置台１を有している。前記戴置台１は、ベース基板２上にねじ等の固定手段（図示せず）により着脱自在に固定されており、その固定位置を貼り合わせに供される一方のパネルＰ１の位置等に応じて調整可能とされている。
【００３５】
前記戴置台１の上面中央部には、貼り合わせに供される一方のパネルＰ１を配置可能とされた矩形状の溝部３が形成されている。前記溝部３は前記一方のパネルＰ１の厚さ寸法よりも浅い溝状に形成されており、本実施形態においては、一方のパネルＰ１の厚さ寸法よりも０．２ｍｍ程浅い寸法とされている。換言すれば、前記溝部３は、前記一方のパネルＰ１を前記戴置台１の上面から０．２ｍｍ程度突出させるように穿設されている。この一方のパネルＰ１基板の突出寸法を規制するのは、一方のパネルＰ１の上面が前記溝部３内に位置するようであれば貼り合わせ作業ができず、逆に、多く突出するようであれば、後述する接着材としての両面接着テープ４を備えた台紙５が撓んだ状態でセットされ易くなり、接着材の位置精度も出しにくくなるためであり、０．２ｍｍ程度とすることが好ましい。そして、前記溝部３は、図２に示すように、一方のパネルのＸ軸方向に延在する面を当接させるべくＸ軸方向に延在するＸ軸方向基準壁３ａと、一方のパネルのＹ軸方向に延在する面を当接させるべくＹ軸方向に延在するＹ軸方向基準壁３ｂとにより、前記一方のパネルを位置決めしつつ載置可能とされたコーナー部３ｃが形成され、これらのＸ軸方向基準壁３ａおよびＹ軸方向基準壁３ｂを位置合わせの基準面とし、前記一方のパネルＰ１をその底壁３ｄ上に載置可能とされている。
【００３６】
また、本実施形態のパネルの貼り合わせ装置は、前記一方のパネルＰ１を前記溝部３内に吸着固定させるための負圧吸着機構７を備え、前記溝部３の底壁３ｄには前記負圧吸着機構７の吸引口８が開口されている。
【００３７】
さらに、前記戴置台１の上面における前記溝部３の外周部には、接着材としての両面接着テープ４が所定の形状で配設され、その外周部に小孔６（本実施形態においては直径寸法をφ３ｍｍとする）が形成された略方形の透明フィルム基材からなる台紙５を前記一方のパネルＰ１および前記一方のパネルＰ１に積層される他方のパネルＰ２との位置関係を規制しつつ配置するための複数個（本実施形態においては４つ）の位置決めピン９が形成されている。本実施形態において、各位置決めピン９は、その外径有効長を１ｍｍ、直径寸法をφ２．９５ｍｍとされ、その先端は球状に形成されている。そして、前記小孔６を前記位置決めピン９の付け根部分にまで嵌挿させたときに前記台紙５のパネルに対する位置決めが行われるように、前記戴置台１の上面の適切な位置に形成されている。なお、前記位置決めピン９の外径有効長は、台紙５の嵌挿と取り外しを容易に行うことができる短寸法であればよい。
【００３８】
また、本実施形態のパネルの位置決め装置は、Ｌ字状で３ｍｍ厚程度の薄板材からなり、図３に示すように、他方のパネルＰ２のＸ軸方向に延在する面を当接させるＸ軸方向基準面１０ａと、他方のパネルＰ２のＹ軸方向に延在する面を当接させるＹ軸方向基準面１０ｂとによって他方のパネルＰ２を位置決めしつつ配置するL字状のコーナー部１０ｃを形成する位置決め板１０を有している。
【００３９】
前記位置決め板１０は、回動手段を構成する薄板状の回動板１１の一辺側の下面に、ねじ等の固定手段１２により着脱自在に固定されており、その固定位置を貼り合わせに供される他方のパネルＰ２の位置等に応じて調整可能とされている。そして、前記回動板１１の反位置決め板側の下面には間隔を以て２つのブラケット１３が形成されており、前記２つのブラケット１３によって回動軸１４が支承されている。
【００４０】
そして、前記ベース基板２上の前記戴置台１の側方には、前記回動軸１４を前記戴置台１の側面と平行で、かつ、前記戴置台１の上面よりも下位（ベース基板側近傍）において軸支する軸受部１５が形成されている。
【００４１】
前記回動軸１４および軸受部１５は、回動板１１とともに本実施形態におけるパネルの貼り合わせ装置における回動手段を構成し、前記位置決め板１０を備えた回動板１１は、前記回動軸１４により片持ち状に支承されている。そして、前記回動板１１は他方のパネルＰ２の位置決めを可能とするセット位置と、前記回動板１１のセット位置から略９０°の仰角を以て前記回動軸１４を中心に回動させたオフセット位置との間で回動動作自在とされている。なお、本実施形態においては、前記回動板１１の他辺側部はオフセット位置において前記ベース基板２に当接し、前記回動板１１の回動動作のストッパーとして機能するように構成されているものとする。なお、オフセット位置は、前記回動板１１のセット位置から略９０°の仰角を以て前記回動軸１４を中心に回動させた位置に限らないが、前記戴置台の上方に、パネルのセットやリリースの作業をするための空間領域を十分に確保すべく、前記回動板１１のセット位置から９０°以上の仰角を以て前記回動軸１４を中心に回動させた位置とすることが好ましく、また、回動板１１の回動範囲をコンパクトとし、装置の小型化を図るべく、その仰角にも一定の制限を加えることが好ましい。
【００４２】
また、前記回動板１１の裏面には、前記位置決め板１０のセット時において前記戴置台１の上面における溝部３の外周部に当接し、前記位置決め板１０を、前記戴置台１に位置決めされた状態で載置された一方のパネルＰ１の上面に対し所定の間隙を以て水平に支承する回動規制手段が形成されている。本実施形態において、前記回動規制手段は先端部にゴム部材を配設した突起状のストッパー１６であり、前記ストッパー１６を前記戴置台１の上面における溝部３の外周部に当接させることで、一方のパネルＰ１の上面と０．５ｍｍの間隙を介して前記位置決め板１０を水平に保持するように構成されている。また、ストッパー１６の配設位置は、水平保持安定性の観点により、回動軸１４から離れている方が好ましい。なお、この時の前記位置決め板１０の位置が前記セット位置となる。
【００４３】
また、前記位置決め板１０および回動板１１には、前記位置決め板１０をセット位置に位置させたときに、前記位置決めピン９の先端部を位置させる位置決めピン収納孔１７が形成されている。
【００４４】
なお、前記位置決めピン収納孔１７は必要に応じて形成を省略することができる。また、必要に応じて位置決めピン収納孔１７を回動板１１に形成してもよい。また、前記回動板１１には、回動動作時にユーザーが把持するためのつまみ部１１ａを形成するとよい。
【００４５】
次に、本本実施形態のパネルの貼り合わせ装置の作用効果について説明する。なお、作業前に、貼り合わせ作業の対象となる一方のパネルＰ１と他方のパネルＰ２の形状や貼り合わせ位置等に合わせて、前記戴置台１のベース基板２に対する配設位置や、前記位置決め板１０の回動板１１に対する取り付け位置の微調整を行っておく。
【００４６】
なお、貼り合わせに供せられる２枚のパネルの組み合わせと作製されるパネル製品としては、たとえば、一方のパネルＰ１として干渉パネル、他方のパネルＰ２として液晶パネルを用いたＤＳＴＮ型の液晶表示パネル、一方のパネルＰ１としてカイラルネマティック液晶を封入した一方の液晶表示パネル、他方のパネルＰ２としても同様にカイラルネマティック液晶を封入した液晶表示パネルを用いてマルチカラー表示を可能とする液晶表示パネル、一方のパネルＰ１としてパネルヒータ、他方のパネルＰ２として液晶表示パネルを用いた液晶表示パネルなどを例示することができる。また、特に角液晶表示パネルの基準位置が異なる、例えば下方のパネルが上方のパネルより外径寸法が小さい２枚の液晶表示パネルの組み合わせに好適である。
【００４７】
先ず、図２に示すように、前記戴置台１の溝部３内における前記Ｘ軸方向基準壁３ａと前記Ｙ軸方向基準壁３ｂとを基準とし、これらの両基準壁３ａ、３ｂによって形成されるコーナー部３ｃに一方のパネルＰ１の所定のコーナー部を合わせるようにして前記溝部３内に一方のパネルＰ１を載置する。このようにすることで、パネルの貼り合わせ作業における一方のパネルＰ１のＸ軸方向およびＹ軸方向のセット位置を簡便且つ確実に規制することができる。
【００４８】
そして、その状態で前記負圧吸着機構７のスイッチ７ａをオンにし、前記吸引口８から空気を吸引することで前記一方のパネルＰ１を前記溝部３の底壁３ｄに吸着させて固定させる。これにより、パネルの貼り合わせ作業時における一方のパネルの位置ずれを防止することができる。
【００４９】
次に、前記台紙５に形成された両面接着テープ４の片側の接着面を露出させた状態で、前記台紙５の外周部に形成された小孔６を前記位置決めピン９に係合させ、上から少し押さえるようにして前記両面接着テープ４の片側の接着面を前記一方のパネルＰ１の所定位置に貼着させる。
【００５０】
この状態で台紙５を除去して両面接着テープ４の他の接着面を露出させ、前記回動板１１を前記回動軸１４を中心に回動動作させ、前記位置決め板１０を前記セット位置に位置させる。このように、本実施形態のパネルの貼り合わせ装置は、前記他方のパネルＰ２のセット位置をＸ軸方向およびＹ軸方向で規制する位置決め板１０を、省スペースかつ簡便な方法で適切な位置に配設することができる。
【００５１】
そして、図３に示すように、前記位置決め板１０の前記Ｘ軸方向基準面１０ａと前記Ｙ軸方向基準面１０ｂとを基準とし、これらの両基準面によって形成されるコーナー部１０ｃに他方のパネルＰ２の所定のコーナー部を合わせるようにして、他方のパネルＰ２を前記一方のパネルＰ１上に前記両面接着テープ４を介して積層配置し、二枚のパネルの貼り合わせ作業を終了させる。
【００５２】
そして、貼り合わせ作業が終了したら、再び回動板１１を回動軸１４を中心に回動動作させてオフセット位置に位置させる。
【００５３】
このとき、本実施形態においては、図４に示すように、前記回動軸１４は前記回動板１１の他辺側下面に突出形成されたブラケット１３に配設し、前記戴置台１の上面よりも下位において回転自在に支承されているので、位置決め板１０をセット位置からオフセット位置へ回動させる際の前記回動板１１の初動方向を前記戴置台１から離反する方向として、位置決め板１０と各パネルＰ１、Ｐ２との干渉を回避することがでる。しかも、図５に示すように、オフセット時に、前記ブラケット１３の長さ寸法分だけ前記戴置台１の上方の作業領域を広く確保することができるので、パネルのセットやリリースの作業もし易くなる。
【００５４】
なお、本発明は、前述した実施の形態に限定されるものではなく、必要に応じて種々の変更が可能である。
【図面の簡単な説明】
【００５５】
【図１】本発明のパネルの貼り合わせ装置の１実施形態における概略構成と使用状態における各部品の積層状態を示す分解斜視図使用状態の要部分解斜視図
【図２】本発明のパネルの貼り合わせ装置の１実施形態における一方のパネルＰ１の位置合わせ状態を示す平面図
【図３】本発明のパネルの貼り合わせ装置の１実施形態における他のパネルの位置合わせ状態を示す平面図
【図４】本発明のパネルの貼り合わせ装置の１実施形態において、位置決め板をセット位置からオフセット位置へ回動させる際の回動板の初動方向を示す説明図
【図５】本発明のパネルの貼り合わせ装置の１実施形態において、回動板をオフセット位置に位置させた時の主要部材の位置関係を示す説明図
【符号の説明】
【００５６】
１  戴置台
２  ベース基板
３  溝部
３ａ  Ｘ軸方向基準壁
３ｂ  Ｙ軸方向基準壁
３ｃ  コーナー部
３ｄ  底壁
４  両面接着テープ
５  台紙
６  小孔
７  負圧吸着機構
７ａ  スイッチ
８  吸引口
９  位置決めピン
１０  位置決め板
１０ａ  Ｘ軸方向基準面
１０ｂ  Ｙ軸方向基準面
１１  回動板
１２  固定手段
１３  ブラケット
１４  回動軸
１５  軸受部
１６  ストッパー
１７  位置決めピン収納孔
Ｐ１  一方のパネル
Ｐ２  他方のパネル
【図１】
2006154427.tif 000003
【図２】
2006154427.tif 000004
【図３】
2006154427.tif 000005
【図４】
2006154427.tif 000006
【図５】
2006154427.tif 000007